(57)【特許請求の範囲】
【請求項１】
洗浄水源から供給された洗浄水によって汚物を排出する水洗大便器であって、
上方にリム部が形成され、下方に溜水部が形成されるボウルと、
上記リム部の内周面に洗浄水を吐水して旋回流を形成するリム吐水口と、
上記溜水部に向けて洗浄水を吐水するゼット吐水口と、
上記水洗大便器の後方に開口された給水口と、
上記給水口から連続して形成される共通導水路と、
上記共通導水路の流路底面よりも高い位置に流路底面が形成され且つ上記共通導水路の流路よりも流路断面積が絞られた絞り導水路と、
上記絞り導水路から上記リム吐水口へつながるリム導水路と、
上記リム導水路から分岐して上記ゼット吐水口へつながるゼット導水路と、
上記絞り導水路の流路底面よりも下方の位置における上記共通導水路に流入口が設けられ、上記流入口よりも下方且つ上記溜水部よりも上方の位置における上記ゼット導水路に流出口が設けられた管状部材と、
を備える水洗大便器。
【請求項２】
上記流入口を画定する上記管状部材の一部が上記共通導水路の流路底面に当接している
請求項１に記載の水洗大便器。
【請求項３】
請求項１又は請求項２に記載の上記水洗大便器と、
洗浄水が貯水される貯水タンクと、
上記貯水タンクと上記水洗大便器の上記給水口とを接続する給水配管と、
上記給水配管から分岐して接続される脱臭配管と、
上記脱臭配管に設けられ、上記共通導水路を介して上記ボウル内の空気を吸気するファンと、
からなる大便器システム。
【発明の詳細な説明】
【技術分野】
【０００１】
本発明は、洗浄水源から供給された洗浄水によって汚物を排出する水洗大便器に関する。
【背景技術】
【０００２】
従来から、洗浄水源から供給された洗浄水によって汚物を排出する水洗大便器として、ボウル形状のボウル部と、このボウル部の上縁に形成されたリム部と、を備え、後方上部には、洗浄水源から供給された洗浄水をボウル部に吐水する導水路が形成されている水洗大便器が知られている（例えば、特許文献１参照）。
特許文献１における水洗大便器は、互いに一体に成形されたリム部とボウル部により水洗大便器を製造することが可能であることを特徴としている。
【０００３】
このような水洗大便器においては、リム部とボウル部を別々に成形した場合に比べて、製造工程を少なくすることができるため、便器本体の製造効率を改善することができ、製造コストを抑えることができる。
【先行技術文献】
【特許文献】
【０００４】
【特許文献１】特開２０１３−１９４４１０号公報
【発明の概要】
【発明が解決しようとする課題】
【０００５】
一方、洗浄水源から供給された洗浄水によって汚物を排出する水洗大便器として、便器の後方に導水路の入口（給水口）が開口し、壁面に取付けられる、いわゆる壁掛式の水洗大便器がある。このような壁掛式の水洗大便器は、水洗大便器の上方に洗浄水源である貯水タンクが取付けられる場合に比べて、洗浄水源からボウル部に洗浄水が供給されるまでの時間及び距離が長いため、洗浄水の水勢が減少して洗浄性能が低下してしまう。そこで、洗浄水源からボウル部へ吐水する洗浄水の圧力を高めて洗浄性能を向上させるために、導水路の一部に絞り導水路が設けられている。このように導水路の一部に絞り導水路を設けることによって、洗浄水の流速が増し、勢いよくボウル部へ吐水されるため、水洗大便器の洗浄性能が向上する。
【０００６】
しかしながら、リム部とボウル部を一体に成形可能な特許文献１の水洗大便器と、上述した壁掛式の水洗大便器とを組み合わせる場合、成形型の構成上、給水口近傍の導水路の流路底面の高さ位置よりも絞り導水路の流路底面が高くなるように形成しなければならない。その結果、給水口近傍の導水路内（絞り導水路よりも上流側の導水路内）に水が溜まるような構造となってしまい、給水口近傍の導水路内で微生物が繁殖して赤かびや黒かびが発生してしまうといった懸念がある。
【０００７】
そこで、本発明は、上記課題を解決するためになされたものであり、導水路内に水が溜まることを抑制する水洗大便器の提供を目的としている。
【課題を解決するための手段】
【０００８】
本発明の一態様に係る水洗大便器は、洗浄水源から供給された洗浄水によって汚物を排出する水洗大便器であって、上方にリム部が形成され、下方に溜水部が形成されるボウルと、リム部の内周面に洗浄水を吐水して旋回流を形成するリム吐水口と、溜水部に向けて洗浄水を吐水するゼット吐水口と、水洗大便器の後方に開口された給水口と、給水口から連続して形成される共通導水路と、共通導水路の流路底面よりも高い位置に流路底面が形成され且つ共通導水路の流路よりも流路断面積が絞られた絞り導水路と、絞り導水路からリム吐水口へつながるリム導水路と、リム導水路から分岐してゼット吐水口へつながるゼット導水路と、絞り導水路の流路底面よりも下方の位置における共通導水路に流入口が設けられ、流入口よりも下方且つ溜水部よりも上方の位置におけるゼット導水路に流出口が設けられた管状部材と、を備える。
【０００９】
この構成によれば、共通導水路に設けられる流入口とこの流入口よりも下方に設けられた流出口とを有する管状部材が設けられているので、共通導水路内に溜まった水を、ボウルへ排出することができる。そのため、共通導水路内に水が溜まることを抑制することができる。
【００１０】
本発明の一態様に係る水洗大便器において、好ましくは、流入口を画定する管状部材の一部が共通導水路の流路底面に当接している。
【００１１】
この構成によれば、管状部材の流入口の少なくとも一部が共通導水路の流路底面に当接しているので、共通導水路内に溜まった水をボウルへ効率よく排出させることができる。そのため、共通導水路内に水が溜まるのをより抑制することができる。
【００１２】
本発明の一態様に係る水洗大便器と、洗浄水が貯水される貯水タンクと、貯水タンクと水洗大便器の給水口とを接続する給水配管と、給水配管から分岐して接続される脱臭配管と、脱臭配管に設けられ、共通導水路を介してボウル内の空気を吸気するファンと、からなる大便器システム。
【００１３】
この構成によれば、共通導水路及び脱臭配管を介して、水洗大便器のボウル内の空気が排気されるので、ボウル内の臭気を排気することができる。そのため、水洗大便器の使用者の快適性を向上することができる。また、管状部材によって共通導水路内に溜まった水がボウルへ排出されるため、共通導水路を介してボウル内の空気を排気するときに、異音の発生を抑制することができる。
【発明の効果】
【００１４】
本発明によれば、水洗大便器において、導水路内に水が溜まることを抑制することができる。
【図面の簡単な説明】
【００１５】
【図１】本発明の一実施形態に係る大便器システムの概略断面図である。
【図２】本発明の一実施形態に係る水洗大便器の上面図である。
【図３】図２のＡ−Ａ線に沿って見た水洗大便器の側面断面図である。
【図４】本発明の一実施形態に係る水洗大便器において、導水路の一部分を示すＢ部分を拡大した部分拡大図である。
【発明を実施するための形態】
【００１６】
以下、本発明の実施の形態について添付図面を参照しながら説明する。なお、各図面中、同様の構成要素には同一の符号を付して詳細な説明は適宜省略する。
【００１７】
＜大便器システムの構成＞
まず、図１〜図３を参照して、本発明の実施形態に係る大便器システム及び水洗大便器について説明する。
【００１８】
図１は、本発明の実施形態に係る大便器システムの概略斜視図である。図２は、本発明の実施形態に係る水洗大便器の上面図である。図３は、図２のＡ−Ａ線に沿って見た水洗大便器の側面断面図である。なお、図１及び図２において、溜水部１２ｃの溜水水位がＷＬ１で示されている。
【００１９】
図１に示すように、大便器システム１は、水洗大便器２を備え、この水洗大便器２は床面４から離れた位置に壁面６に取付けられている。壁面６の裏側には、水洗大便器２の上面よりも高い位置に洗浄水を貯水する貯水タンク８が取付けられ、この貯水タンク８は、洗浄水源である水道等に接続されている。また、壁面６には図示しない操作部が取付けられ、この操作部を操作すると、貯水タンク８内の洗浄水が水洗大便器２に供給され、水洗大便器２が洗浄されるようになっている。
また、壁面６の裏側には、汚物を排出するための排水管１０が設けられ、この排水管１０により、水洗大便器２からの汚物を外部へ排出するようになっている。
【００２０】
ここで、本実施形態では、床面４に対して水洗大便器２が設けられる側を上方向（上方）、これと反対側を下方向（下方）、壁面６に対して水洗大便器２が設けられる側を前方向（前方）、これと反対側を後方向（後方）、上下方向及び前後方向と直交する方向のうち後方に向いて右側を右方向（右方）、左側を左方向（左方）、ということにする。
【００２１】
水洗大便器２の背面（後方の面）の上方には給水口２４が開口され、水洗大便器２の給水口２４と貯水タンク８は、水洗大便器２の給水口２４に接続される共通配管１２を介してタンク側配管１４によって接続される。
タンク側配管１４は貯水タンク８から鉛直下方に延び、そこから水洗大便器２に向かって水平方向に延びている。タンク側配管１４の下流側には分岐部１６が設けられ、分岐部１６から水洗大便器２に向かって水平方向に共通配管１２が延出している。共通配管１２は、壁面６を貫通し、シール部材である接続部材２２を介して水洗大便器２の給水口２２に接続されている。
なお、共通配管１２及びタンク側配管１４と、分岐部１６が給水配管としての機能を果たす。
【００２２】
また、分岐部１６はいわゆるＴ字継ぎ手管であり、分岐部１６にはタンク側配管１４から分岐して脱臭配管１８が接続されている。脱臭配管１８は分岐部１６から鉛直上方へ延出し、そこから壁面６が設けられている方向と反対の方向へ屈曲している。脱臭配管１８内には、外部と連通する風路が形成され、風路の途中には、水洗大便器２内の空気を吸気するファン２０が設けられている。
【００２３】
＜水洗大便器の構成＞
図１及び図２に示すように、水洗大便器２は、前方側に形成されるボウル２６と、給水口２４からボウル２６に向かって洗浄水を供給する導水路３２と、導水路３２内に設けられる管状部材３４と、ボウル２６の下方から排水管１０へ連通して延びる排水トラップ管路３６と、を備えている。
【００２４】
水洗大便器２のボウル２６は、上方に形成されるリム部２６ａと、リム部２６ａから下方へ連続して形成される汚物受け面２６ｂと、下方に形成される溜水部２６ｃと、を有している。
リム部２６ａは、その内周面が鉛直方向に立ち上がるように形成されている。また、このリム部２６ａから下方へ滑らかに傾斜するように汚物受け面２６ｂが形成されている。さらに、この汚物受け面２６ｂの下方には、汚物受け面２６ｂから連続してボウル形状の溜水部２６ｃが形成されている。
【００２５】
リム部２６ａの前方側には、リム部２６ａの内周面に洗浄水を吐水して旋回流を形成するリム吐水口２８が開口している。
汚物受け面２６ｂの下方且つ、右側面（図２参照）には、溜水部２６ｃに向けて洗浄水を吐水するゼット吐水口３０が開口している。このゼット吐水口３０は、溜水水位ＷＬ１よりも高い位置に開口している。
なお、リム吐水口２８及びゼット吐水口３０が、水洗大便器２内の空気を吸気する吸気口としての機能を果たす。
【００２６】
＜導水路の構成＞
図３に示すように、導水路３２は、給水口２４から連続して形成される共通導水路３２ａと、共通導水路３２ａよりも流路断面積が絞られた絞り導水路３２ｂと、絞り導水路３２ｂからリム吐水口２８へとつながるリム導水路３２ｃと、リム導水路３２ｃから分岐してゼット吐水口３０へとつながるゼット導水路３２ｄと、を有している。
【００２７】
共通導水路３２ａは、給水口２４から前方に向かって略水平に形成され、絞り導水路３２ｂへとつながっている。絞り導水路３２ｂの流路底面は、共通導水路３２ａの流路底面よりも高い位置に形成されている。一方、絞り導水路３２ｂの流路上面は、共通導水路３２ａの流路上面と略同じ高さ位置に形成され、共通導水路３２ａの流路上面から連続して形成されている。また、共通導水路３２ａは、共通配管１２が接続されている部分から同径で連続している部分であり、絞り導水路３２ｂは、共通導水路３２ａから後述するリム導水路３２ｃまでである。
【００２８】
リム導水路３２ｃは、図２に示すように、リム部２６ａの内周面に沿うように湾曲しながら後方から前方に向かって略水平（図３参照）に延び、リム吐水口２８へとつながっている。また、リム導水路３２ｃは、絞り導水路３２ｂからリム部２６ａを周回する方向へ流路が屈曲している部分からリム吐水口２８までである。
図３にもどって、ゼット導水路３２ｄは、リム導水路３２ｃから下方へ分岐し、汚物受け面２６ｂの内周面に沿うように湾曲しながら（図２参照）上後方から下前方に向かって延び、ゼット吐水口３０へとつながっている。また、ゼット導水路３２ｄは、リム導水路３２ｃから分岐して下向へ流路が屈曲している部分からゼット吐水口３０までである。
【００２９】
＜管状部材の構成＞
導水路３２の内部には、可撓性のゴムで形成されたチューブ状の管状部材３４が設けられている。この管状部材３４は、給水口２２近傍における共通導水路３２ａから絞り導水路３２ｂを介してゼット導水路３２ｄを通り、ゼット吐水口３０に向かって延伸している。この管状部材３４は、共通導水路３２ａ及び絞り導水路３２ｂ、ゼット導水路３２ｄの流路底面に沿うように形成されており、接着剤等によって導水路３２内に固着されている。
管状部材３４の流入口３４ａは、絞り導水路３２ｂの流路底面よりも下方の位置における共通導水路３２ａ内に設けられている。管状部材３４の流出口３４ｂは、流入口３４ａよりも下方且つ溜水部２６ｃにおける溜水水位ＷＬ１よりも上方に設けられている。
また、流入口３４ａを画定する管状部材３４の一部が、共通導水路３２ａの流路底面である接続部材２２の底面に当接し、固着されている。
【００３０】
＜排水トラップ管路の構成＞
排水トラップ管路３６は、溜水部２６ｃの下方に開口した入口３６ａから斜め上方に延び、最高点３６ｂを通った後、斜め下方に延びて出口３６ｃに達し、排水管１０（図１参照）に接続されている。水洗大便器２の溜水水位ＷＬ１は、排水トラップ管路３６の最高点３６ｂの高さと略等しくなる。
【００３１】
＜動作及び作用＞
つぎに、図１〜図４を参照して、本発明の実施形態に係る導水路３２及び管状部材３４内の水の流れについて説明する。
【００３２】
図４は、本発明の実施形態に係る導水路内の水の流れを模式的に表した水洗大便器の概略断面図である。なお、導水路３２内の溜水水位がＷＬ２で示されている。
【００３３】
まず、使用者が図示しない操作部を操作すると、貯水タンク８内の洗浄水が貯水タンク８からタンク側配管１４を通って流下し、そのまま分岐部１６、共通配管１２を通って便器本体２に供給される。
給水口２４へ流入した洗浄水は、そのまま共通導水路３２ａに流れ込み、貯水タンク８と便器本体２の高低差によって生じる水の勢いによって共通導水路３２ａから絞り導水路３２ｂへ流れる。ここで、絞り導水路３２ｂの流路断面積は、共通導水路３２ａの流路断面積よりも小さく構成されているため、絞り導水路３２ｂにおいて流速が増加する。絞り導水路３２ｂを流れる洗浄水は、共通導水路３２ａの流速よりも速い流速を保ったまま、リム吐水口２８及びゼット吐水口３０に向かって、リム導水路３２ｃ及びゼット導水路３２ｄへ流入する。
【００３４】
リム導水路３２ｃへ流入した洗浄水は、リム吐水口２８から吐水される。リム吐水口２８から吐水された洗浄水は、ボウル２６内に旋回流を形成し、ボウル２６の汚物受け面２６ｂが洗浄される。
また、同時に、ゼット導水路３２ｄへ流入した洗浄水は、ゼット吐水口３０からボウル２６の溜水部２６ｃに向かって下方へ噴出される。ゼット吐水口３０から噴出された洗浄水は、鉛直方向（上下方向）の旋回流を形成し、これにより、排水トラップ管３６から効果的に汚物を排出する。
【００３５】
リム吐水口２８及びゼット吐水口３０からボウル内へ洗浄水が吐水されると、溜水水位ＷＬ１が排水トラップ管路３６の最高点３６ｂの高さ位置よりも上昇し、ボウル内に吐水された洗浄水の勢いによって、排水トラップ管路３６から排水管１０へ汚物が排出される。
そして、貯水タンク８からの洗浄水の供給が開始されてから所定時間が経過すると、貯水タンク８からの洗浄水の供給が終了する。
【００３６】
ここで、図４に示すように、絞り導水路３２ｂの流路底面が、共通導水路３２ａの流路底面よりも高い位置に形成されている。そのため、貯水タンク８から洗浄水の供給が終了したあと、絞り導水路３２ｂの上流側に位置する共通導水路３２ａ及び共通配管１２内において水が溜まる。
【００３７】
このとき、流入口３４ａを画定する管状部材３４の一部が共通導水路３２ａの流路底面である接続部材２２の底面に固着されているので、管状部材３４の流入口３４ａは、共通導水路３２ａ及び共通配管１２の流路底面の近傍に位置する。一方、管状部材３４ｂの流出口３４ｂは、管状部材３４の流入口３４ａよりも低い位置に設けられている。そのため、管状部材３４においてサイホン作用が発生し、共通導水路３２ａ及び共通配管１２内に溜まった水が管状部材３４の流入口３４ａに引き込まれ、そのまま管状部材３４内を通って流出口３４ｂから排出される。すると、共通導水路３２ａ及び共通配管１２内に溜まった水の溜水水位ＷＬ２が、流入口３４ａの上端の高さ位置まで下降する。流出口３４ｂから排出された水は、そのままゼット導水路３４ｄを通ってゼット吐水口３０からボウル２６へ排出される。
【００３８】
図１にもどって、使用者が図示しない操作部を操作してファン２０を駆動させると、吸気口であるリム吐水口２８及びゼット吐水口３０から水洗大便器２のボウル２６内の空気が吸気される。リム吐水口２８及びゼット吐水口３０から吸入された空気は、リム導水路３２ｃ及びゼット導水路３２ｄ、絞り導水路３２ｂ、共通導水路３２ａを介して給水口２４から共通配管１２へ排出され、脱臭配管１８から外部へ排出される。
【００３９】
ここで、共通導水路３２ａ及び共通配管１２内に溜まった水は管状部材３４によってボウル２６へ排出され、共通導水路３２ａ及び共通配管１２内に溜まった水の溜水水位ＷＬ２は流入口３４ａの高さ位置まで下降している。そのため、管状部材３４を設けない場合に比べて、共通導水路３２ａ及び共通配管１２における風路断面積が大きく形成される。
その結果、リム吐水口２８及びゼット吐水口３０から吸入された空気が共通導水路３２ａ及び共通配管１２内を通過する際、共通導水路３２ａ及び共通配管１２内に溜まった水の影響を受けにくく、異音の発生が抑制される。
【００４０】
上述した本発明の一実施形態による水洗大便器２によれば、共通導水路３２ａに設けられる流入口３４ａとこの流入口３４ａよりも下方に設けられた流出口３４ｂとを有する管状部材３４が設けられているので、共通導水路３２ａ内に溜まった水を、ボウル２６へ排出することができる。そのため、共通導水路３２ａ内に水が溜まることを抑制することができる。
【００４１】
また、上述した本発明の一実施形態による水洗大便器２によれば、管状部材３４の流入口３４ａの少なくとも一部が共通導水路３２ａの流路底面に当接しているので、共通導水路３２ａ内に溜まった水をボウルへ効率よく排出させることができる。そのため、共通導水路３２ａ内に水が溜まるのをより抑制することができる。
【００４２】
さらに、上述した本発明の一実施形態による大便器システム１によれば、共通導水路３２ａ及び脱臭配管１８を介して、水洗大便器２のボウル２６内の空気が排気されるので、ボウル２６内の臭気を排気することができる。そのため、水洗大便器２の使用者の快適性を向上することができる。また、管状部材３４によって共通導水路３２ａ内に溜まった水がボウル２６へ排出されるため、共通導水路３２ａを介してボウル２６内の空気を排気するときに、異音の発生を抑制することができる。
【００４３】
＜変形例＞
以上、本発明の実施形態について説明したが、本発明は、上述した実施形態に限定されるものではない。
【００４４】
例えば、水洗大便器２へ洗浄水を供給する洗浄水源としては、上述した実施形態で示した重力給水源の貯水タンク８のようなタンク式のものに限定されず、水道水の給水圧を直接利用した水道直圧式のものや、フラッシュバルブ式のものや、ポンプの補圧を利用して洗浄水を供給するものであってもよい。
【００４５】
また、例えば、管状部材３４は可撓性のゴムで形成される構成を説明したが、その他の樹脂材料や金属で形成されていてもよい。但し、製造コストや装着の容易性等の観点から、ゴムで形成される方が好ましい。
【００４６】
また、例えば、リム吐水口２８及びゼット吐水口３０の他に、水洗大便器２内の空気を吸気する吸気口を設けてもよい。但し、製造コスト等の観点から、リム吐水口２８及びゼット吐水口３０を吸気口として機能させるほうが好ましい。
【００４７】
また、管状部材３４が接着剤等によって導水路３２内に固着されている構成を説明したが、例えば、管状部材３４を導水路３２内に固定する固定部材が別途設けられてもよいし、管状部材３４が導水路３２内に溶着されていてもよい。
【００４８】
また、上述した本実施形態においては、洗い落とし式の水洗大便器２に適用した形態について説明しているが、このような形態に限定されるものではなく、他の水洗大便器の形態についても適用可能である。例えば、排水トラップ管路３６によるサイホン作用により汚物を押し流す、いわゆる、サイホン式の水洗大便器等、洗い落とし式の水洗大便器以外の便器形態についても適用可能である。
【００４９】
前述した各実施の形態が備える各要素は、技術的に可能な限りにおいて組み合わせることができ、これらを組み合わせたものも本発明の特徴を含む限り本発明の範囲に包含される。
【符号の説明】
【００５０】
１    大便器システム
２    水洗大便器
４    床面
６    壁面
８    貯水タンク
１０    排水管
１２    共通配管
１４    タンク側配管
１６    分岐部
１８    脱臭配管
２０    ファン
２２    接続部材
２４    給水口
２６    ボウル
２６ａ  リム部
２６ｂ  汚物受け面
２６ｃ  溜水部
２８    リム吐水口
３０    ゼット吐水口
３２    導水路
３２ａ  共通導水路
３２ｂ  絞り導水路
３２ｃ  リム導水路
３２ｄ  ゼット導水路
３４    管状部材
３４ａ  流入口
３４ｂ  流出口
３６    排水トラップ管路
３６ａ  入口
３６ｂ  最高点
３６ｃ  出口
ＷＬ１、ＷＬ２    溜水水位
【図１】
0006508612.tif 000002
【図２】
0006508612.tif 000003
【図３】
0006508612.tif 000004
【図４】
0006508612.tif 000005